(57)【要約】【課題】夜間の暗い場所での作業であっても、第三者への視認と、個々の作業者の識別を可能とすることを目的とする。【解決手段】夜間作業者の安全確保のための作業衣であって、作業衣の前身、または／および後身に発光編織物が取り付けられ、該発光編織物の発光色、または発光パターンの違いによる２品種以上を有することで完成させた。【選択図】  図１
0003202138.tif 000002
【実用新案登録請求の範囲】
【請求項１】
夜間作業者の安全確保のための作業衣であって、作業衣の前身、または／および後身に発光編織物が取り付けられ、該発光編織物の発光色、または発光パターンの違いによる２品種以上を有することを特徴とする安全作業衣。
【請求項２】
前記発光編織物が、複数本の側面漏光性の光ファイバーからなる発光体が部分的な露出部を形成して編織物構造に織り込み、または挿入されており、光ファイバーの集合端末部の光源により光ファイバーの側面から発光することを特徴とする請求項１記載の安全作業衣。
【請求項３】
前記発光編織物の２色以上の発光色は、カラーの光源、光ファイバー表面の着色、発光編織物を覆う樹脂の着色の中から選ばれた一つ、またはそれらの組み合わせによることを特徴とする請求項１または２記載の安全作業衣。
【請求項４】
前記発光編織物が、複数の絶縁性繊維が配列する経糸群内に、導電糸からなる２組の経糸が所定の間隔で配列して編織されており、該導電糸が選択的に編織物の表面に露出した箇所に、発光体であるＬＥＤ素子が接続され、かつ編織物全体が柔軟性樹脂により被覆されていることを特徴とする請求項１記載の安全作業衣。  
【請求項５】
前記発光編織物の２色以上の発光色は、ＬＥＤ素子の発光色、または編織物全体を覆うフィルムの着色によることを特徴とする請求項４記載の安全作業衣。
【考案の詳細な説明】
【技術分野】
【０００１】
本発明は、夜間作業従事者が第三者に自身の存在を視認させる安全作業衣に関するものである。
【背景技術】
【０００２】
従来、警察官の夜間検問や高速道路従事者などの夜間道路処理などでは、光反射材が作業衣の前身や後身に取り付けられた安全作業衣を着用し、通行中の自動車から身を守りながら作業が行われている。
【０００３】
しかしながら、反射材は外部から光を受けなければ反射光を発することができないために、自動車の正面においては反射光で視認容易であるが、自動車の照明から逸れたところでは視認されるのが難しいという問題がある。
【０００４】
その様な状況から、例えば、特許文献１ではＬＥＤ付きの安全ベストが提案されており、同技術はＬＥＤの発光により暗闇であっても他の光の照射がなくとも視認することが可能で、より高い安全性が得られる。
【０００５】
最近では、ＬＥＤや電池の技術進歩により、小型化し、しかも長寿命化が可能となったこともあって、安全作業衣にＬＥＤ素子などの発光体を取り付けて安全性を一層高めることが一般化しつつある。
【０００６】
しかしながら、ＬＥＤ素子のような発光体を取り付けた安全作業衣により作業者の存在自体は視認することができるが、作業者間においてその作業者が誰であるかまでは近づくまで確認できないために、作業効率が非常に悪いという問題があった。
【先行技術文献】
【特許文献】
【０００７】
【特許文献１】特開２００４―３０８０５０号公報
【考案の概要】
【考案が解決しようとする課題】
【０００８】
本考案は、上述した問題点を改善し、夜間の暗い場所での作業であっても、第三者への視認と、個々の作業者の識別を可能とする安全作業衣を提供することにある。
【課題を解決するための手段】
【０００９】
本考案者が上記技術的課題を解決するために採用した手段を、添付図面を参照して説明すれば、次のとおりである。
【００１０】
即ち、本考案の安全作業衣は、夜間作業者の安全確保のための作業衣であって、作業衣の前身、または／および後身に発光編織物が取り付けられており、該発光編織物の発光色、または発光パターンの違いによる２品種以上を有することで完成させた。  
【００１１】
また、前記発光編織物が、複数本の側面漏光性の光ファイバーからなる発光体が部分的な露出部を形成して編織物構造に織り込み、または挿入されており、光ファイバーの集合端末部の光源により光ファイバーの側面から発光するという技術的手段を採用することができる。
【００１２】
また、前記発光編織物の２色以上の発光色は、光源、光ファイバーのクラッドの着色、光ファイバー表面の着色、発光編織物を覆う樹脂の中から選ばれた一つ、またはそれらの組み合わせる技術的手段を採用することができる。
【００１３】
また、前記発光編織物が、複数の絶縁性繊維が配列する経糸群内に、導電糸からなる２組の経糸が所定の間隔で配列して編織されており、該導電糸が選択的に編織物の表面に露出した箇所に、発光体であるＬＥＤ素子が接続され、かつ編織物全体が柔軟性樹脂により被覆するという技術的手段を採用することができる。
【００１４】
さらにまた、前記ＬＥＤ素子が接続された発光編織物の２色以上の発光色が、ＬＥＤ素子の発光色、または編織物全体を覆うフィルムの着色による技術的手段を採用することができる。
【考案の効果】
【００１５】
本考案にあっては、夜間作業者の安全確保のための作業衣であって、作業衣の前身、または／および後身に発光編織物が取り付けられているので第三者への視認効果が確実に得られ、安全性が高まる。
【００１６】
また、少なくとも２着以上の作業衣において該発光編織物の発光色、または発光パターンが異なることで、作業者別に異なる発光色の安全作業衣の着用が可能となり、作業者同士が暗い場所で離れていても発光色によって容易に個人が識別でき、作業効率が向上する。
【図面の簡単な説明】
【００１７】
【図１】本考案の実施形態の安全作業衣の正面図である。
【図２】本考案の実施形態の光ファイバーによる発光編織物を表わす概略図である。
【図３】本考案の実施形態のＬＥＤ素子による発光編織物を表わす説明図である。
【考案を実施するための形態】
【００１８】
本考案を実施するための形態を、具体的に図示した図面に基づいて、更に詳細に説明すると、次のとおりである。
【００１９】
図１は本考案の安全作業衣の実施形態を示し、符号１がチョッキ型の安全作業衣１で、発光編織物２が安全作業衣１の前身頃にＶ字型に取り付けられており、後ろ身頃については図示していないが、背中部に水平方向やＶ字型に、あるいは作業衣の裾周りに取り付けることが出来る。
【００２０】
このように、作業衣の前後に発光編織物２を取り付け、発光させて作業を行うことで、夜の暗い場所でも第三者への視認が確実となり安全に作業を進めることが出来、作業者にとっては安心して仕事に従事することが出来る。
【００２１】
図２は発光手段の一実施例について具体的に説明するための図で、光ファイバー１２を発光体とする発光編織物２で、光ファイバー１２は普通糸から編織物内に織り込み、または挿入の形態で一体化されている。
【００２２】
光ファイバー１２としては、特に限定されないが側面漏光であれば織り込み、または挿入された光ファイバー１２の側面から発光させることが出来るので好ましい態様であり、また、光ファイバー１２を発光編織物２の表面への露出度の高低によって模様や字体を描くことで意匠性効果のある発光が期待できる。
【００２３】
図２において、符号１３は光ファイバー１２の表面を織糸または編糸で覆って光ファイバー１２が編織物の表面に露出するのを抑えた箇所であり、一方、符号１４は光ファイバー１２の編織物の表面の露出度を高めた箇所を示しており、こうした状態で光ファイバー１２の集合端末部１５から光源１６を照射させることで、光ファイバー１２の露出度の高い箇所１４を発光させることで、発光模様を描くことができる。
【００２４】
図２では、光ファイバー１２の露出度の高い箇所１４は星型の単純模様としたが、字体であっても良く、美的優れたデザインなど描くことができ、さらには通常の光ファイバーを用いて、編織物化した後に光ファイバーのクラッド部を部分的除去、あるいはクラッド部に傷つけたりして模様を描くことも出来る。
【００２５】
本考案においては、上記した光ファイバー１２を発光体とする発光編織物２の発光色、または発光パターンの異なる２種以上の作業衣からなり、各作業者に異なる色が発光する作業を着用することで、離れて作業していても発光色で作業者が識別することができ、さらには作業内容とか作業の指揮者／作業者により発光色を違えることもできるので非常に作業効率化する
【００２６】
発光色を２色以上にするには、カラーの光源、光ファイバー１２表面の着色、発光編織物を覆う樹脂の着色などよって種々の発光色を得ることができ、また光ファイバー１２の露出度の高低による模様や字体など発光パターンによる違いであって構わないが、発光色の違いによる方が遠くからでも識別し易いので好ましいものである。
【００２７】
図３は発光手段について、別の実施態様について具体的に説明するための図で、ＬＥＤ素子２２を発光体とする発光編織物２で、ＬＥＤ素子２２は少なことも２本の導電線２４が絶縁性繊維糸の間で並行配列して編織され、２本の導電線を部分的に編織物の表面に露出させた箇所にＬＥＤ素子を導電性接着剤などで接続させて、全体を柔軟性樹脂２３で包み込ませたものである。
【００２８】
発光体がＬＥＤ素子２２である発光編織物２が取り付けられた安全作業衣の場合における発光色の多色化としては、ＬＥＤ素子の発光色、または編織物２全体を覆うフィルムの着色によって発光色を違えることが可能である。
【００２９】
以上のような構成により、例えば夜間の作業を３人の共同作業であるとすると、発光色が白色、赤色、緑色の３品種の本考案の安全作業衣を準備し、それぞれが何色の安全作業衣を着用しているかを認識した上で作業を進めることで、暗闇であっても、安全が確保出来ると同時に、作業者同士が離れて作業していてもそれぞれの識別が可能であるから、作業効率を向上させることが出来る。
【００３０】
本考案は、概ね上記のような構成であるが、図示の実施形態に限定されることなく請求範囲の記載範囲内において種々変更可能である。
【符号の説明】
【００３１】
１：作業衣
２：発光編織物
３：前身頃
１２；光ファイバー
１３：光ファイバーの露出度が低い箇所
１４：光ファイバーの露出度が高い箇所
１５：光ファイバーの集合端末部
１６：光源
２２：ＬＥＤ素子
２３：被覆樹脂
２４：導電線
２５：リード線
【図１】
0003202138.tif 000003
【図２】
0003202138.tif 000004
【図３】
0003202138.tif 000005